(57)【特許請求の範囲】
【請求項１】
腐葉土に含まれるバクテリア、放線菌および糸状菌の少なくとも１つを、炭素源、窒素源およびミネラル源を含む培養液により培養して、
前記培養液中で前記バクテリア、放線菌および糸状菌の少なくとも１つがセルラーゼを産出することによりセルラーゼ含有液を得て、
前記セルラーゼ含有液に含まれる前記セルラーゼによりしいたけ原木に含まれるセルローズを膨潤させ、
前記しいたけ原木に吸着された放射性セシウムを水和により脱着し、
前記脱着された放射性セシウムを前記セルラーゼ含有液とは異なる水を主とする洗浄液により移動して前記しいたけ原木から除去し、
前記放射性セシウムが除去された前記しいたけ原木をしいたけの原木栽培に利用可能とする
セルラーゼ含有液を用いた放射性セシウムの除去方法。
【請求項２】
前記しいたけ原木には長さ方向に少なくとも１つ以上の穴が設けられる
請求項１記載のセルラーゼ含有液を用いた放射性セシウムの除去方法。
【発明の詳細な説明】
【技術分野】
【０００１】
本発明は、しいたけ原木に吸着された放射性セシウムを除去する技術に関する。
【背景技術】
【０００２】
近時、放射性セシウムの樹木、森林、牧草、土壌、腐葉土、ため池、灌漑用水路および堆肥等への蓄積が社会問題となっている。
セシウム１３４は半減期が約２年であり、またセシウム１３７は半減期が約３０年であるため影響が大きく、効果的な除去技術の開発が望まれている。
【０００３】
放射性セシウムが大気中へ飛散すると、大気中の放射性セシウムは雨水に溶けた形態や大気中に浮遊する微粒子に付着した形態で、植物の枝葉表面および土壌表面などに直接沈着する。枝葉表面および土壌表層に張り巡らされた根から吸収された放射性セシウムは植物内部で各部位に移行する。さらに、落葉、枯枝および樹冠通過雨などにより植物から土壌表面に移行した放射性セシウムの多くは、植物の根から吸収されて、再び植物内部に移行する。このような生物的再循環により長期にわたり放射性セシウムが植物および土壌等に滞留する。
【０００４】
ところで、しいたけの栽培方法には、大別して、原木栽培と菌床栽培の２通りがある。原木栽培とは、原木に種菌を接種して屋外等で栽培する方法であり、自然条件に近い条件で栽培されるので、形、大きさ、味及び食感のいずれにおいても優れている。菌床栽培とは、原木を破砕して粉状にした菌床に種菌を接種して屋内等で栽培する方法であり、しいたけの生育が早く、害虫や有害菌等の外部要因の影響を受けにくい。
【０００５】
しいたけの原木栽培には、主にナラやクヌギなどの広葉樹が用いられ、伐採された原木（以下「しいたけ原木」という。）は、取扱いの容易化のため９０ｃｍから１２０ｃｍ程度の長さ（直径は１０ｃｍから２０ｃｍ程度）に切断され、数ヶ月間乾燥させられる。そして、しいたけ原木に種菌を植え付けて伸長・蔓延させた後に、山林などの木陰に配置しておくと、しいたけが生えて成長する。
【０００６】
ナラやクヌギなどの種々の樹木の内部には、上記のように、放射性セシウムが吸着されている場合がある。そのような樹木に由来する、しいたけ原木を用いて原木栽培された、しいたけには高濃度の放射性セシウムが含有されることとなる。したがって、しいたけ原木に吸着されている放射性セシウムを脱着して除去しなければ、しいたけ原木を原木栽培に利用することができない。
【０００７】
そこで、表面が放射性セシウムで汚染された木材から放射性セシウムを除去するために、当該木材に、洗浄液としての洗浄水を用いて木材の表面に付着した放射性物質を除染する技術が提案されている（特許文献１参照）。
【先行技術文献】
【特許文献】
【０００８】
【特許文献１】特開２０１３−１７８２２２号公報
【発明の概要】
【発明が解決しようとする課題】
【０００９】
しかし、しいたけ原木の樹皮等の表面側から、洗浄水に長時間浸すことにより洗浄しても、また高水圧の洗浄水により洗浄しても、しいたけ原木の内部の放射性セシウムを原木栽培に利用するために十分な程度まで除去することは困難であった。
【００１０】
しいたけ原木には、放射性セシウムが表面の樹皮にとどまらず、しいたけ原木の内部の樹皮に近い周縁部分から中心部分に至るまで広く浸透して吸着されている。そのような放射性セシウムは化学的に安定して、しいたけ原木の成分と強く結合しており容易には脱着しなく、除去することが困難となっている。
【００１１】
なお、市販されている純粋なセルラーゼの価格は、１ｇ７００円などと非常に高価であり、コストの面からも、しいたけ原木に吸着された放射性セシウムを脱着するためにセルラーゼを用いることは、これまで考えられていなかった。
【００１２】
本発明の目的は、しいたけ原木に吸着された放射性セシウムを十分に除去可能な放射性セシウムの除去方法を提供することにある。
【課題を解決するための手段】
【００１３】
本発明の放射性セシウムの除去方法は、
腐葉土に含まれるバクテリア、放線菌および糸状菌の少なくとも１つを、炭素源、窒素源およびミネラル源を含む培養液により培養して、
培養液中で前記バクテリア、放線菌および糸状菌の少なくとも１つがセルラーゼを産出することによりセルラーゼ含有液を得て、
セルラーゼ含有液に含まれるセルラーゼによりしいたけ原木に含まれるセルローズを膨潤させ、
しいたけ原木に吸着された放射性セシウムを水和により脱着し、
脱着された放射性セシウムをセルラーゼ含有液とは異なる水を主とする洗浄液により移動してしいたけ原木から除去し、
放射性セシウムが除去されたしいたけ原木をしいたけの原木栽培に利用可能とする
セルラーゼ含有液を用いた放射性セシウムの除去方法。
【００１４】
また、本発明のセルラーゼ含有液を用いた放射性セシウムの除去方法は、しいたけ原木には長さ方向に少なくとも１つ以上の穴が設けられることであってもよい。
【発明の効果】
【００１５】
本発明によれば、しいたけ原木に吸着された放射性セシウムを十分に除去可能な放射性セシウムの除去方法を提供することができる。
【発明を実施するための形態】
【００１６】
以下、本発明の第１の実施の形態を説明する。
【００１７】
まず、本発明の原理を以下に説明する。しいたけ原木の繊維はセルラーゼにより膨潤させられるセルローズからなる。しいたけ原木の内部に吸着された放射性セシウムを水和させて脱着するために、セルラーゼによりしいたけ原木のセルローズを膨潤させて、しいたけ原木の内部へ洗浄液を十分に浸潤させる。
【００１８】
市販されている純粋なセルラーゼは１ｇ７００円などと非常に高価であり、コストの面からも、しいたけ原木に吸着された放射性セシウムを水和により脱着するために当該純粋なセルラーゼを用いることは現実的ではない。
【００１９】
そこで、体内でセルラーゼを生成するバクテリア、放線菌および糸状菌を利用する。培養液で培養して繁殖させた、バクテリア、放線菌および糸状菌の少なくとも１つにより十分な量のセルラーゼを産出させる。
【００２０】
以下に、バクテリア、放線菌および糸状菌の少なくとも１つを培養液で繁殖して産出させたセルラーゼを含むセルラーゼ含有液の製造方法の一例を説明する。
【００２１】
水槽に以下のものを混合して投入して培養液とする。
（１）水：約７０リットル
（２）でん粉（炭素源）：約１ｋｇ
（３）米ぬか（窒素源およびミネラル源）：約２５０ｇ（でん粉の１／４重量）
【００２２】
上記の培養液中に種菌として腐葉土（バクテリア、放線菌および糸状菌の少なくとも１つを含む。）を約２００ｇ、手で細かくした後に金網でふるってさらに細かくして、添加する。
【００２３】
水槽内をエアポンプで曝気して培養液中に酸素を供給する。バクテリア、放線菌および糸状菌の少なくとも１つが繁殖している場合、通常は発酵臭が生じる。
繁殖したバクテリア、放線菌および糸状菌の少なくとも１つの体内で生成されたセルラーゼは、培養液中に放出される。なお、繁殖したバクテリア、放線菌および糸状菌の少なくとも１つが産出するセルラーゼの産出量の合計は２日から３日程度でピーク量に近づく。
このようにして、水槽内に、セルラーゼ含有液、いわば粗製セルラーゼを得ることができる。
【００２４】
上記のようなセルラーゼ含有液の製造方法によれば、水、でん粉、米ぬかおよび腐葉土という環境負荷が少なく地球環境に優しく、誰でもどこでも簡単に、かつ安価に入手することができる材料を用いて、短期間に十分な量のセルラーゼ含有液、いわば粗製セルラーゼを得ることができる。なお、上記のセルラーゼ含有液は、異なるまたは追加の材料を用いて製造することができる。
【００２５】
そして、しいたけ原木を水槽のセルラーゼ含有液中に１４日間浸す。
このとき、水槽内を、水温を３５℃から４０℃（至適温度）とし、また、水素イオン指数を４から４．２（至適ｐＨ）として、酵素であるセルラーゼが働きやすい環境を維持することが好ましい。
【００２６】
しいたけ原木の繊維はセルラーゼにより膨潤させられるセルローズからなる。セルラーゼによりしいたけ原木のセルローズが膨潤すると、しいたけ原木の樹皮や切断面から内部の中心部分まで洗浄液としても機能するセルラーゼ含有液が十分に浸潤する。そして、水和により脱着された放射性セシウムがセルラーゼ含有液の液体中に遊離して流される（移動する）ことにより、しいたけ原木から除去される。なお、この場合、除去された放射性セシウムは、水槽内のセルラーゼ含有液中に存在することとなる。
【００２７】
しいたけ原木にはセルラーゼ含有液が十分に浸潤しているため、通常は、しいたけ原木の重量はセルラーゼ含有液を含んだ分だけ重くなる。
【００２８】
さらに、しいたけ原木を掛け流しの流水中に５日間置く。これは、そのまま上記の水槽の給水管および排水管等を利用して、水槽中で、掛け流しの流水中に浸すことであっても、また、所定の施設等で散水すること等により実現することであってもよい。
セルラーゼによりしいたけ原木のセルローズが膨潤しているので、しいたけ原木の樹皮や切断面から内部の中心部分まで水などの洗浄液が十分に浸潤する。そして、しいたけ原木の内部に残留している放射性セシウムが水和により脱着され、水などの洗浄液の液体中に遊離して流される（移動する）ことにより、しいたけ原木から除去される。
【００２９】
[実施例１]
以下に、実施例に基づいて本発明をより詳細に説明するが、本発明はこの実施例により限定されるものではない。
【００３０】
セシウム１３７を吸着した、しいたけ原木１を長さ方向に１／７程度（約１５ｃｍ）切断し、その切断された短い丸太をコントロール検体（コントロール１）とする。
【００３１】
セシウム１３７を吸着した、しいたけ原木１の残り６／７の部分（試料１）について、上記の製造方法により得たセルラーゼ含有液で満たされた水槽に１４日間浸す。
その後、しいたけ原木１の残り６／７の部分（試料１）について、そのまま水槽内で、掛け流しの流水中に５日間浸す。
【００３２】
上記の処理が施された、しいたけ原木１の残り６／７の部分（試料１）を１０５℃で２日間、乾燥して含水率１２％以下とする。
その後、しいたけ原木１の残り６／７の部分（試料１）を６等分に切断する。すなわち１本の長い丸太を６本の短い丸太とする。それぞれ一端部から他端部に向かって順に、試料Ａ（一端部）、試料Ｂ、試料Ｃ、試料Ｄ、試料Ｅおよび試料Ｆ（他端部）とする。
【００３３】
試料Ａ、試料Ｂ、試料Ｃ、試料Ｄ、試料Ｅおよび試料Ｆについて、測定機器として大型ＮａＩ（ＴＩ）シンチレーションスペクトロメータを用い、それぞれ測定時間５５０秒で３回ずつ、乾燥重量当たりの放射性セシウム濃度[Ｂｑ／ｋｇ]（以下「放射性セシウム濃度」という。）を測定し、３回の測定値の平均値を算出した。なお、測定値には所定の範囲（プラスマイナス）の誤差が許容される。
【００３４】
しいたけ原木１と同様の手順により得た、しいたけ原木２（コントロール２、試料２）およびしいたけ原木３（コントロール３、試料３）について、それぞれ同様の測定を実施した。
【００３５】
以下の表１に、しいたけ原木１、しいたけ原木２およびしいたけ原木３の測定結果を示す。
【００３６】
【表１】
0005745197.tif 000002
【００３７】
しいたけ原木１の残り６／７の部分（試料１）の全体の放射性セシウム濃度として、試料Ａ、試料Ｂ、試料Ｃ、試料Ｄ、試料Ｅおよび試料Ｆのそれぞれの上記平均値を平均した値である４４．３Ｂｑ／ｋｇを用いると、コントロール検体（コントロール１）の７８．７Ｂｑ／ｋｇと比べて、放射性セシウム濃度が十分に低減していることがわかる。
また、しいたけ原木２の残り６／７の部分（試料２）の全体の放射性セシウム濃度として、試料Ａ、試料Ｂ、試料Ｃ、試料Ｄ、試料Ｅおよび試料Ｆのそれぞれの上記平均値を平均した値である４２．０Ｂｑ／ｋｇを用いると、コントロール検体（コントロール２）の１００．６Ｂｑ／ｋｇと比べて、放射性セシウム濃度が十分に低減していることがわかる。
また、しいたけ原木３の残り６／７の部分（試料３）の全体の放射性セシウム濃度として、試料Ａ、試料Ｂ、試料Ｃ、試料Ｄ、試料Ｅおよび試料Ｆのそれぞれの上記平均値を平均した値である２５．９Ｂｑ／ｋｇを用いると、コントロール検体（コントロール３）の４８．９Ｂｑ／ｋｇと比べて、放射性セシウム濃度が十分に低減していることがわかる。
【００３８】
[比較例１]
セシウム１３７を吸着した、しいたけ原木４を長さ方向に１／７程度（約１５ｃｍ）切断し、その切断された短い丸太をコントロール検体（コントロール４）とする。
【００３９】
セシウム１３７を吸着した、しいたけ原木４の残り６／７の部分（試料４）について、水で満たされた水槽に１４日間浸す。
その後、しいたけ原木４の残り６／７の部分（試料４）について、そのまま水槽内で、掛け流しの流水中に５日間浸す。
【００４０】
上記の処理が施された、しいたけ原木４の残り６／７の部分（試料４）を１０５℃で２日間、乾燥して含水率１２％以下とする。
その後、しいたけ原木４の残り６／７の部分（試料４）を６等分に切断する。すなわち１本の長い丸太を６本の短い丸太とする。それぞれ一端部から他端部に向かって順に、試料Ａ（一端部）、試料Ｂ、試料Ｃ、試料Ｄ、試料Ｅおよび試料Ｆ（他端部）とする。
【００４１】
試料Ａ、試料Ｂ、試料Ｃ、試料Ｄ、試料Ｅおよび試料Ｆについて、測定機器として大型ＮａＩ（ＴＩ）シンチレーションスペクトロメータを用い、それぞれ測定時間５５０秒で３回ずつ、放射性セシウム濃度を測定し、３回の測定値の平均値を算出した。なお、測定値には所定の範囲（プラスマイナス）の誤差が許容される。
【００４２】
以下の表２に、しいたけ原木４の測定結果を示す。
【００４３】
【表２】
0005745197.tif 000003
【００４４】
しいたけ原木４の残り６／７の部分（試料４）の全体の放射性セシウム濃度として、試料Ａ、試料Ｂ、試料Ｃ、試料Ｄ、試料Ｅおよび試料Ｆのそれぞれの上記平均値を平均した値である５２．４Ｂｑ／ｋｇを用いると、コントロール検体（コントロール１）の７０．７Ｂｑ／ｋｇと比べて、放射性セシウム濃度は低減しているが、十分には低減していないことがわかる。
しいたけ原木４と比較して、しいたけ原木１、しいたけ原木２およびしいたけ原木３は、いずれも、放射性セシウム濃度が十分に低減していることがわかる。
なお、参考として、日本では現時点で、しいたけ原木として利用できる放射性セシウム濃度は５０Ｂｑ／ｋｇ以下と規定されている。
【００４５】
本実施の形態によれば、しいたけ原木に吸着された放射性セシウムを水和により脱着することができる。
また、しいたけ原木に吸着された放射性セシウムを水和により脱着し、脱着された放射性セシウムを液体により移動して、しいたけ原木から除去することができる。
【００４６】
次に、本発明の第２の実施の形態を説明する。
【００４７】
基本的には上記の第１の実施の形態と同様であるので、相違する点を中心に説明し、重複する説明は省略する。
【００４８】
しいたけ原木に、その長さ方向に少なくとも１つ以上の穴を設ける。
この穴の直径は、約１．５ｃｍである。通常、少なくとも約３ｃｍまでであればしいたけの生育にほとんど影響を及ぼさない。
この穴は、しいたけ原木の中心に沿って穿孔されることが好ましい。両端から穿孔して中央部等の途中で貫通させてもよいし、ずらして貫通しない態様や短くして貫通しない態様であってもよい。
この穴は、しいたけ原木をセルラーゼ含有液中に浸す前に設けられることが好ましい。
【００４９】
上記の穴を設けることにより、しいたけ原木の内部の中心部分近傍（くり抜かれた部分）に吸着されていた放射性セシウムは物理的（直接的）に取り除かれることとなり、また、このように設けられた穴にセルラーゼ含有液が流入し、当該穴により露出した、しいたけ原木の内表面にセルラーゼ含有液が接触することで、しいたけ原木の内表面側からも浸潤し、しいたけ原木の内部に吸着された放射性セシウムの水和による脱着を促進することとなる。
上記の穴を設けることにより、さらに、掛け流しの流水中に置いた際にも、水などの洗浄液が、このように設けられた穴に流入し、当該穴により露出した、しいたけ原木の内表面に水などの洗浄液が接触することで、しいたけ原木の内表面側からも浸潤し、しいたけ原木の内部に吸着された放射性セシウムの水和による脱着と、水などの洗浄液の液体中に遊離して流される（移動する）ことにより、しいたけ原木から除去されることを促進することとなる。
【００５０】
なお、しいたけ原木の樹皮の表面側からしいたけ原木の幅方向や斜め方向に少なくとも１つ以上の穴を設けることであってもよい。
【００５１】
[実施例２]
以下に、実施例に基づいて本発明をより詳細に説明するが、本発明はこの実施例により限定されるものではない。
【００５２】
セシウム１３７を吸着した、しいたけ原木５を長さ方向に１／７程度（約１５ｃｍ）切断し、その切断された短い丸太をコントロール検体（コントロール５）とする。
【００５３】
セシウム１３７を吸着した、しいたけ原木５の残り６／７の部分について、長さ方向に直径が１．５ｃｍの穴を略中心に設けて貫通させる。
略中心がくり抜かれて直径が１．５ｃｍの穴が設けられた、しいたけ原木５の残り６／７の部分（試料５）について、上記の製造方法により得たセルラーゼ含有液で満たされた水槽に１４日間浸す。
その後、しいたけ原木５の残り６／７の部分（試料５）について、そのまま水槽内で、掛け流しの流水中に５日間浸す。
【００５４】
上記の処理が施された、しいたけ原木５の残り６／７の部分（試料５）を１０５℃で２日間、乾燥して含水率１２％以下とする。
その後、しいたけ原木５の残り６／７の部分（試料５）を６等分に切断する。すなわち１本の長い丸太を６本の短い丸太とする。それぞれ一端部から他端部に向かって順に、試料Ａ（一端部）、試料Ｂ、試料Ｃ、試料Ｄ、試料Ｅおよび試料Ｆ（他端部）とする。
【００５５】
試料Ａ、試料Ｂ、試料Ｃ、試料Ｄ、試料Ｅおよび試料Ｆについて、測定機器として大型ＮａＩ（ＴＩ）シンチレーションスペクトロメータを用い、それぞれ測定時間５５０秒で３回ずつ、放射性セシウム濃度を測定し、３回の測定値の平均値を算出した。なお、測定値には所定の範囲（プラスマイナス）の誤差が許容される。
【００５６】
以下の表３に、しいたけ原木５の測定結果を示す。
【００５７】
【表３】
0005745197.tif 000004
【００５８】
上記の第１の実施の形態のしいたけ原木１、しいたけ原木２およびしいたけ原木３と比較して、しいたけ原木５は、特に、１本の長い丸太の両端部である試料Ａおよび試料Ｆ以外の、中央部分である試料Ｂ、試料Ｃ、試料Ｄおよび試料Ｅにおいても放射性セシウム濃度が十分に低減していることがわかる。
また、しいたけ原木５の残り６／７の部分（試料５）の全体の放射性セシウム濃度として、試料Ａ、試料Ｂ、試料Ｃ、試料Ｄ、試料Ｅおよび試料Ｆのそれぞれの上記平均値を平均した値である１０．８Ｂｑ／ｋｇを用いると、コントロール検体（コントロール１）の１７．８Ｂｑ／ｋｇと比べて、放射性セシウム濃度が十分に低減していることがわかる。
【００５９】
[比較例２]
セシウム１３７を吸着した、しいたけ原木６を長さ方向に１／７程度（約１５ｃｍ）切断し、その切断された短い丸太をコントロール検体（コントロール６）とする。
【００６０】
セシウム１３７を吸着した、しいたけ原木６の残り６／７の部分について、長さ方向に直径が１．５ｃｍの穴を略中心に設けて貫通させる。
略中心がくり抜かれて直径が１．５ｃｍの穴が設けられたしいたけ原木６の残り６／７の部分（試料６）について、水で満たされた水槽に１４日間浸す。
その後、しいたけ原木６の残り６／７の部分（試料６）について、そのまま水槽内で、掛け流しの流水中に５日間浸す。
【００６１】
上記の処理が施されたしいたけ原木６の残り６／７の部分（試料６）を１０５℃で２日間、乾燥して含水率１２％以下とする。
その後、しいたけ原木６の残り６／７の部分（試料６）を６等分に切断する。すなわち１本の長い丸太を６本の短い丸太とする。それぞれ一端部から他端部に向かって順に、試料Ａ（一端部）、試料Ｂ、試料Ｃ、試料Ｄ、試料Ｅおよび試料Ｆ（他端部）とする。
【００６２】
試料Ａ、試料Ｂ、試料Ｃ、試料Ｄ、試料Ｅおよび試料Ｆについて、測定機器として大型ＮａＩ（ＴＩ）シンチレーションスペクトロメータを用い、それぞれ測定時間５５０秒で３回ずつ、放射性セシウム濃度を測定し、３回の測定値の平均値を算出した。なお、測定値には所定の範囲（プラスマイナス）の誤差が許容される。
【００６３】
以下の表４に、しいたけ原木６の測定結果を示す。
【００６４】
【表４】
0005745197.tif 000005
【００６５】
しいたけ原木６の残り６／７の部分（試料６）の全体の放射性セシウム濃度として、試料Ａ、試料Ｂ、試料Ｃ、試料Ｄ、試料Ｅおよび試料Ｆのそれぞれの上記平均値を平均した値である１６．９Ｂｑ／ｋｇを用いると、コントロール検体（コントロール１）の２２．６Ｂｑ／ｋｇと比べて、放射性セシウム濃度は低減しているが、十分には低減していないことがわかる。
しいたけ原木６と比較して、しいたけ原木５は放射性セシウム濃度が十分に低減していることがわかる。
上記の第１の実施の形態のしいたけ原木１、しいたけ原木２およびしいたけ原木３と比較しても、しいたけ原木５は放射性セシウム濃度が、より一層、十分に低減していることがわかる。
なお、参考として、日本では現時点で、しいたけ原木として利用できる放射性セシウム濃度は５０Ｂｑ／ｋｇ以下と規定されている。
【００６６】
本実施の形態によれば、しいたけ原木に吸着された放射性セシウムを水和により脱着することをさらに促進できる。
また、しいたけ原木に吸着された放射性セシウムを水和により脱着し、脱着された放射性セシウムを液体により移動して、しいたけ原木から除去することをさらに促進できる。
【００６７】
その他、一々例示はしないが、本発明は、その趣旨を逸脱しない範囲内において、種々の変更が加えられて実施されてよい。
【要約】
【課題】しいたけ原木に吸着された放射性セシウムを十分に除去可能な放射性セシウムの除去方法を提供すること。
【解決手段】腐葉土に含まれるバクテリア、放線菌および糸状菌の少なくとも１つを、炭素源、窒素源およびミネラル源を含む培養液により培養して、前記培養液中で前記バクテリア、放線菌および糸状菌の少なくとも１つがセルラーゼを産出することによりセルラーゼ含有液を得て、前記セルラーゼ含有液に含まれる前記セルラーゼによりしいたけ原木に含まれるセルローズを膨潤させ、前記しいたけ原木に吸着された放射性セシウムを水和により脱着し、前記脱着された放射性セシウムを前記セルラーゼ含有液とは異なる洗浄液により移動して前記しいたけ原木から除去し、前記放射性セシウムが除去された前記しいたけ原木をしいたけの原木栽培に利用可能とするセルラーゼ含有液を用いた放射性セシウムの除去方法。
【選択図】なし